(57)【要約】【課題】  縦方向延伸ポケット構造の硬性及び防皺性を備え、抗引き裂き性を増加できるカーテンの布製スラットを提供する。【解決手段】  基布１０は、不透明織布であって、二つの端縁部を有する。二つの縦方向延伸リング２０は、ニット方法により少なくとも一つの織り糸を基布１０の端縁部において前進させる途中で織り糸環状方法により基布１０の端縁部の織り糸と合わされて形成される。二つの支持ポケット３０は、両端が透明中空の管状体を呈し、それぞれ縦方向延伸リング２０中に被覆される。二つの支持ユニット７０は、細長い硬質棒体を呈し、それぞれ縦方向延伸リング２０中の支持ポケット３０内に入れられる。【選択図】    図１
2005207199.tif 000002
【特許請求の範囲】
【請求項１】
不透明織布であって、
二つの端縁部を有する基布と、
ニット方法により少なくとも一つの織り糸を基布の端縁部において前進させる途中で織り糸環状方法により基布の端縁部の織り糸と合わされて形成される二つの縦方向延伸リングと、
両端が透明中空の管状体を呈し、それぞれ縦方向延伸リング中に被覆される二つの支持ポケットと、
細長い硬質棒体を呈し、それぞれ縦方向延伸リング中の支持ポケット内に入れられる二つの支持ユニットと、
を備えることを特徴とするカーテンの布製スラット。
【請求項２】
支持ポケットは、素材が縦方向延伸リングより緊密で硬いことを特徴とする請求項１に記載のカーテンの布製スラット。
【請求項３】
縦方向延伸リングの織り糸連続リングは、複数の奇数序列部と偶数序列部とを有し、そのうちの織り糸の奇数序列部が支持ポケットの上縁部に設けられ、織り糸の偶数序列部が支持ポケットの下縁部に設けられることを特徴とする請求項１に記載のカーテンの布製スラット。
【請求項４】
縦方向延伸リングの織り糸連続リングは、上下に引っ張られることで連続配列の穿孔の形態を形成し、かつ支持ポケットを被覆するように設けられることを特徴とする請求項１に記載のカーテンの布製スラット。
【請求項５】
一つの縦方向延伸リングの側縁外側から続いて外向きに小距離で延伸して編成される折り縫い部位と、折り縫い部位の外側縁部に設けられ、その重力により折り縫い部位にねじれが発生し、自然に垂れ下がる状態を呈させることが可能である網状の遮蔽部とを有することを特徴とする請求項１に記載のカーテンの布製スラット。
【請求項６】
一つの縦方向延伸リングの外側縁部に連結され、その重力により自然に垂れ下がる状態を呈することが可能である網状の遮蔽部を有することを特徴とする請求項１に記載のカーテンの布製スラット。
【請求項７】
それぞれ縦方向延伸リングの側縁外側から続いて外向きに小距離で延伸して編成され、かつ素材が強靭で切れにくく、ねじれ性に優れるという特性を有する二つの折り縫い部位と、それぞれ折り縫い部位の外側縁部に設けられ、その重力により折り縫い部位にねじれを発生させることが可能である二つの網状の遮蔽部とを有することを特徴とする請求項１に記載のカーテンの布製スラット。
【請求項８】
二つの遮蔽部は、網目の大きさが異なることを特徴とする請求項７に記載のカーテンの布製スラット。
【請求項９】
ニット方法により少なくとも一つの織り糸を遮蔽部の端縁部において前進させる途中で織り糸環状方法により遮蔽部の外側縁部に形成されるおもりポケットと、両端が透明中空の管状体を呈し、おもりポケット中に被覆される支持ポケットと、細長い硬質棒体を呈し、おもりポケット内の支持ポケット中に入れられるおもりユニットとを有することを特徴とする請求項５に記載のカーテンの布製スラット。
【請求項１０】
不透明織布であって、
両端を有する二つの基布と、
ニット方法により少なくとも一つの織り糸を基布の端縁部において前進させる途中で織り糸環状方法により基布の端縁部の織り糸と合わされて形成される四つの縦方向延伸リングと、
両端が透明中空の管状体を呈し、それぞれ縦方向延伸リング中に被覆される四つの支持ポケットと、
細長い硬質棒体を呈し、それぞれ縦方向延伸リング内の支持ポケット中に入れられる四つの支持ユニットと、
基布の縦方向延伸リングともう一つの基布の縦方向延伸リングとの間を連結し、素材が強靭で切れにくく、ねじれ性に優れるという特性を有する折縫い部位と、
を備えることを特徴とするカーテンの布製スラット。
【請求項１１】
不透明織布であって、
二つの端縁部を有する基布と、
ニット方法により少なくとも一つの織り糸を基布の端縁部において前進させる途中で織り糸環状方法により基布の端縁部の織り糸と合わされて形成される縦方向延伸リングと、
両端が透明中空の管状体を呈し、縦方向延伸リング中に被覆される支持ポケットと、
細長い硬質棒体を呈し、縦方向延伸リング内の支持ポケット中に入れられる支持ユニットと、
を備えることを特徴とするカーテンの布製スラット。
【請求項１２】
ヘッドレールと、
コードにより一定の距離をあける方法でヘッドレールの下方に重なるように設けられる布製スラットであって、
不透明織布であって、二つの端縁部を有する基布と、
ニット方法により少なくとも一つの織り糸を基布の端縁部において前進させる途中で織り糸環状方法により基布の端縁部の織り糸と合わされて形成される二つの縦方向延伸リングと、
両端が透明中空の管状体を呈し、それぞれ縦方向延伸リング中に被覆される二つの支持ポケットと、
細長い硬質棒体を呈し、それぞれ縦方向延伸リング内の支持ポケット中に入れられる二つの支持ユニットとを有する若干の布製スラットと、
を備えることを特徴とするカーテンの布製スラット。
【請求項１３】
支持ポケットは、素材が縦方向延伸リングより緊密で硬いことを特徴とする請求項１２に記載のカーテンの布製スラット。
【請求項１４】
縦方向延伸リングの織り糸連続リングは、複数の奇数序列部と偶数序列部とを有し、そのうちの織り糸の奇数序列部が支持ポケットの上縁部に設けられ、織り糸の偶数序列部が支持ポケットの下縁部に設けられることを特徴とする請求項１２に記載のカーテンの布製スラット。
【請求項１５】
縦方向延伸リングの織り糸連続リングは、上下に引っ張られることで連続配列の穿孔の形態を形成し、かつ支持ポケットを被覆するように設けられることを特徴とする請求項１２に記載のカーテンの布製スラット。
【請求項１６】
一つの縦方向延伸リングの側縁外側から続いて外向きに小距離で延伸して編成される折り縫い部位と、折り縫い部位の外側縁部に設けられ、その重力により折り縫い部位にねじれが発生し、自然に垂れ下がる状態を呈させることが可能である網状の遮蔽部とを有することを特徴とする請求項１２に記載のカーテンの布製スラット。
【請求項１７】
それぞれ縦方向延伸リングの側縁外側から続いて外向きに小距離で延伸して編成され、かつ素材が強靭で切れにくく、ねじれ性に優れるという特性を有する二つの折り縫い部位と、折り縫い部位の外側縁部に設けられ、その重力により折り縫い部位にねじれを発生させることが可能である二つの網状の遮蔽部とを有することを特徴とする請求項１２に記載のカーテンの布製スラット。
【請求項１８】
二つの遮蔽部は、網目の大きさが異なることを特徴とする請求項１７に記載のカーテンの布製スラット。
【請求項１９】
ニット方法により少なくとも一つの織り糸を遮蔽部の端縁部において前進させる途中で織り糸環状方法により遮蔽部の外側縁部に形成されるおもりポケットと、両端が透明中空の管状体を呈し、おもりポケット中に被覆される支持ポケットと、細長い硬質棒体を呈し、おもりポケット内の支持ポケット中に入れられるおもりユニットとを有することを特徴とする請求項１６に記載のカーテンの布製スラット。
【請求項２０】
不透明織布であって、二つの端縁部を有する基布を有し、基布の少なくとも一つの端縁部はニット方法により少なくとも一つの織り糸を基布の端縁部において織り糸環状方法のように取り巻くことで支持ポケットを被覆し、支持ポケットは両端が透明中空の管状体を呈し、それぞれ支持ユニットを被覆し、支持ユニットは細長い硬質棒体を呈することを特徴とするカーテンの布製スラット。
【請求項２１】
支持ポケットは、素材が縦方向延伸リングより緊密で硬いことを特徴とする請求項２０に記載のカーテンの布製スラット。
【請求項２２】
織り糸連続リングは、多数の奇数序列部と偶数序列部とを有し、そのうちの織り糸の奇数序列部が支持ポケットの上縁部に設けられ、織り糸の偶数序列部が支持ポケットの下縁部に設けられることを特徴とする請求項２０に記載のカーテンの布製スラット。
【請求項２３】
縦方向延伸リングの織り糸連続リングは、上下に引っ張ってあげることで連続配列の穿孔の形態を形成し、かつ支持ポケットを被覆するように設けられることを特徴とする請求項２０に記載のカーテンの布製スラット。
【請求項２４】
一つの織り糸の側縁外側から続いて外向きに小距離で延伸して編成される折り縫い部位と、折り縫い部位の外側縁部に設けられ、その重力により折り縫い部位にねじれが発生し、自然に垂れ下がる状態を呈させることが可能である網状の遮蔽部とを有することを特徴とする請求項１に記載のカーテンの布製スラット。
【請求項２５】
ニット方法により少なくとも一つの織り糸を遮蔽部の端縁部において前進させる途中で織り糸環状方法により遮蔽部の外側縁部に形成されるおもりポケットと、両端が透明中空の管状体を呈し、おもりポケット中に被覆される支持ポケットと、細長い硬質棒体を呈し、おもりポケット内の支持ポケット中に入れられるおもりユニットとを有することを特徴とする請求項２４に記載のカーテンの布製スラット。
【発明の詳細な説明】
【技術分野】
【０００１】
本発明は、カーテンの構造に関し、特に、カーテンの布製スラットに関するものである。
【背景技術】
【０００２】
カーテンの種類は色々とあり、べネシャンブラインド、バーチカルブラインド、ロールスクリーン、ローマンシェード及びハニカムワインドなどの構造を含む。上述のカーテンの違うところは、スラットセットのスラットがすべて分離状態を呈し、各スラットの間が斜めになることにより、遮光効果を達成することか、各スラットが連結状態を呈し、スラットセット全体の昇降により遮光効果を達成することにある。上述のカーテンの共通点は、スラットを制御することにより、遮光または遮蔽効果を達成するということである。
【０００３】
現今、比較的使用されているスラットは、木材、プラスチック材質、金属材質または複合材質などから製造され、また、透過性、耐久性、重量または価額などの要素によって上述の材質のいずれか一つを選択して製造可能である。布製材質は、装飾効果があるが、カーテンのスラットユニットとしてあまり使用されていない。それは、布製材質が柔らか過ぎ、その布面の裾が垂れ下がりがち（sagging）だからである。上述の欠点を解決するために、アメリカ合衆国特許により掲示される布製スラットは、該明細書の図１に示すように、細長い布１２を有し、細長い布１２の縦方向側の両側縁部に縦方向延伸ポケット（pocket）１４が形成され、かつその断面の表が縫い目のないリング状（一体成形）となり、各縦方向延伸ポケットに硬い支持ユニット２４を挿入でき、支持ユニット２４により布製スラット１２の端縁部を強化し、カーテンのスラットユニットとして使用可能であるが、このような布製スラットの構造は、縦方向延伸ポケット１４の構造を硬くしないと、支持ユニット２４を貫通させる穿孔１５を形成できない（実際の経験により、縦方向延伸ポケット１４の構造が硬くならないと、支持ユニット２４を通らせることが難しいか、できないため、布製スラットセットを組立する時間全体では、この部分は手間が一番かかり、難しさが高いとともに、製造コストを増加させる）ものである（特許文献１参照）。かつこのように硬くしている布生地、即ち、シャトルニットはまた縦方向延伸ポケット１４と細長い布１２が一体成形されるため、細長い布１２の構造もシャトルニットとなる。しかし、シャトルニットの組織構造は緊密であるが、防皺性に劣るため、このようなカーテンのスラットは、通常、使用したり、取り外して洗濯したりする場合、防皺性に劣るという特徴があるため、皺が生じ、布生地を通して美観を増す効果をあげず、かえって、布製スラットは光により照射されたうえで、皺の痕跡が現れ、かつ室内に写ると、装飾及び遮光に影響をもたらす。かつシャトルニットは抗引き裂き性が比較的劣るため、洗濯するまたは子供に弄られる場合、破れやすくて破損が生じ、頻繁に修理するか、新品に取り替えるかという不都合がある。
【０００４】
【特許文献１】アメリカ合衆国特許第５，８２９，５０６号
【発明の開示】
【発明が解決しようとする課題】
【０００５】
本発明の主な目的は、縦方向延伸ポケット構造の硬性及び防皺性を同時に兼ねるカーテンの布製スラットを提供することにある。
本発明のもう一つの目的は、抗引き裂き性を増加させるカーテンの布製スラットを提供することにある。
【０００６】
本発明のまたもう一つの目的は、惑光防止という効果があるカーテンの布製スラットを提供することにある。
本発明のまたもう一つの目的は、全体の美感を強めるカーテンの布製スラットを提供することにある。
【課題を解決するための手段】
【０００７】
上述の目的を達成するために、本発明によるカーテンの布製スラットでは、基布は織り糸から編成される不透明織布であり、二つの縦方向延伸リングはそれぞれ基布の二つの縦方向の端縁部の上に形成され、かつ各縦方向延伸リングがニット方法により少なくとも一つの織り糸を基布の端縁部において縦方向に前進させる途中で織り糸環状方法により基布の端縁織り糸と合わされて形成され、二つの支持ポケットは両端が透明中空の管状体を呈し、素材が縦方向延伸リングより緊密で硬く、織機で縦方向延伸リングが編成されて仕上がると同時に、各支持ポケットが縦方向延伸リング中に被覆される。
【発明を実施するための最良の形態】
【０００８】
以下、本発明の実施例を図面に基づいて説明します。
図１から図６に示すのは、本発明の一実施例によるカーテンの布製スラット１００がブラインドに適用される例である。
【０００９】
布製スラット１００は、織機により一体成形するように編成され、特に、一番好ましいニット方法によれば、布製スラット１００がニット構造となり、優れた防皺性及び抗引き裂き性を有し、図１に示すように、基布１０と、二つの縦方向延伸リング２０と、四つの支持ポケット３０と、二つの折り縫い部位４０と、二つの遮蔽部５０と、二つのおもりポケット６０と、二つの支持ユニット７０と、二つのおもりユニット８０とを備える。
【００１０】
基布１０は、細長くて薄いスラットとなり、ニットにより編成される不透明織布であって、二つの縦方向の端縁部に端縁織り糸１１１を有し、端縁織り糸１１１が環状形態または直列形態を呈し、本実施例の図２では、直列形態を呈し、図３では、環状形態を呈する。
【００１１】
図２及び図３に示すように、二つの縦方向延伸リング２０はそれぞれニット方法により基布１０の縦方向に沿って進行し、各縦方向延伸リング２０が少なくとも一つの織り糸２１を用いて織り糸環状方法により織り糸２１と基布１０の端縁織り糸１１１と合わされて基布１０の二つの縦方向側辺の上に形成される。図２に示すように、基布１０の端縁織り糸１１１が直列状態を呈する場合、各縦方向延伸リング２０の織り糸２１は奇数序列部２１１を基布１０の端縁織り糸１１１の上縁に取り巻き、下向きに折り返し偶数序列部２１２を形成し、順序に従い取り巻き形成する。図３に示すように、基布１０の端縁織り糸１１１が環状形態を呈する場合、縦方向延伸リング２０の織り糸２１は奇数序列部２１１を基布１０の端縁織り糸１１１の左縁後に取り巻き、織り糸リングの左下縁を通って、かつ織り糸リングに取り巻き、そして、右下縁において下向きに折り返し偶数序列部２１２を形成し、順序に従い取り巻き形成する。いずれにしても、図２または図３に示すように、織り糸２１の奇数序列部２１１と偶数序列部２１２は、上下に引っ張られることで連続配列を形成する穿孔の形態を呈する。
【００１２】
四つの支持ポケット３０は、布生地から編成され、その両端が透明中空の管状体を呈し、かつ素材が縦方向延伸リング２０より緊密で硬く、そして、織機内に予め置かれて、織機で縦方向延伸リング２０が編成されて仕上がると同時に、そのうちの二つの支持ポケット３０がそれぞれ縦方向延伸リング２０中に被覆され、図４に示すように、各縦方向延伸リング２０がそれぞれ支持ポケット３０の外部に結合される。言い換えれば、各縦方向延伸リング２０は少なくとも一つの織り糸を基布１０の縦方向端縁部の上に結合し、基布１０の縦方向に沿って織り糸環状方法により織り糸２１の奇数序列部２１１と偶数序列部２１２を形成し、そのうちの織り糸２１の奇数序列部２１１が支持ポケット３０の上縁部に取り巻かれ、織り糸２１の偶数序列部２１２が支持ポケット３０の下縁部に取り巻かれる。
【００１３】
二つの折り縫い部位４０は、それぞれ縦方向延伸リング２０の自由側縁外側から水平方向に沿って続いて外向きに小距離で延伸し、強化織り糸により編成される。その強化織り糸の特性は、素材が強靭で切れにくく、ねじれ性に優れ、外力により変形しやすいことである。
【００１４】
二つの遮蔽部５０は、それぞれ折り縫い部位４０の外側縁部に編成され、その長さと広さが基布１０の長さと広さとほぼ等しく、かつ網状を呈するものである。また、二つの遮蔽部５０は、織り糸またはニット方法が異なることにより、網目の大きさの異なる状態を呈することが可能である。言い換えれば、二つの遮蔽部５０は異なる遮光率を有するものである。
【００１５】
二つのおもりポケット６０は、縦方向延伸リング２０と同じニット方法により遮蔽部５０の自由側縁部の上に編成され、かつ二つのおもりポケット６０が編成されて仕上がると同時に、また二つの支持ポケット３０をその中に被覆する。
【００１６】
二つの支持ユニット７０は、細長い硬質丸棒を呈し、その長さが縦方向延伸リング２０の長さとほぼ等しく、かつそれぞれ縦方向延伸リング２０内の支持ポケット３０中に入れられることで、基布１０と縦方向延伸リング２０は支持ユニット７０により支持され、平坦に整う状態を呈することが可能である。
【００１７】
二つのおもりユニット８０は、細長い硬質丸棒を呈し、その長さがおもりポケット６０の長さとほぼ等しく、かつそれぞれおもりポケット６０内の支持ポケット３０中に入れられることで、遮蔽部５０とおもりポケット６０はおもりユニット８０により支持され、平坦に整い、自然に垂れ下がれる状態を呈することが可能である。
【００１８】
上述は本実施例の布製スラット１００の形状及び構造を説明するものであった。続いて、その組み立て及びブラインドに使用する方法について説明する。
まず、多数の長さと広さが同じ布製スラット１００を一定の距離をあける方法で積み重ね、図５及び図６に示すように、スラット１００がヘッドレール１の下方に配列され、基布１０の二つの縦方向端縁が支持ユニット７０により支持されて平坦に整う状態を呈するため、コードにより布製スラット１００を組み立てることが可能である。その組み立て方法は、アメリカ合衆国特許Ｎｏ．５，８２９，６０６または出願人の特許出願（アメリカ合衆国出願番号第１０／３７８８２９号、ヨーロッパ出願番号第０３００４６６７．６号、中華人民共和国出願番号第０２２９２７０６．９号、台湾出願番号第９１２１９７４６号、日本国出願番号第２００３−９９０３８号またはカナダ出願番号第２４２０７５５号）に掲示される方法にしてもいい。上述の組み立て方法は、本発明により主張される要素ではないため、説明を省く。続いて、各布製スラット１００は、二つの折り縫い部位４０が素材が強靭で切れにくく、ねじれ性に優れ、外力により変形しやすいという特性を有するため、両辺の二つの遮蔽部５０が自然に垂れ下がり、また、各遮蔽部５０の下端の各おもりユニット８０によるおもり効果により平坦に整い、自然に垂れ下がる状態を呈する。      
【００１９】
本実施例のスラットを組み立てようとする場合、二つの遮蔽部５０中の網目の比較的小さい遮蔽部（遮光率が比較的優れる）を室内に向け、網目の比較的大きい遮蔽部（遮光率が比較的劣る）を室外に向け、基布１０が平坦な状態を呈する時、室外から照射する光源は網目の比較的大きい遮蔽部５０を透過し、そののち、網目の比較的小さい遮蔽部５０によりろ過され、最後に室内を透過した光線に惑光効果が発生せず、図６に示すように、人間の目に不快な感じを与えることを避ける事が可能である。
【００２０】
本実施例のスラット１００はニット方法により編成されるため、防皺性に優れるという特性を有し、スラット１００を通常に使用したり、取り外して洗濯したりするとしても、皺が出にくく、スラットの耐久性及び美観を維持することが可能である。また、ニットにより編成される布は、引き裂く純度が比較的優れている（即ち、抗引き裂き性に優れる）ため、洗濯したり、子供により弄られたりするとしても、破れにくく、破損があまり発生せず、製品を長持ちさせることが可能である。また、縦方向延伸リング２０とおもりポケット６０はニットにより編成されるため、その構造がぶかぶかであり、支持ユニット７０とおもりユニット８０を直ちに通らせにくく、そして、本実施例は縦方向延伸リング２０とおもりポケット６０を結合する場合、支持ユニット７０とおもりユニット８０を通らせるために、比較的硬い中空状の支持ポケット３０を予め入れておく。したがって、本実施例は、スラットの防皺性と支持ユニット７０の縦方向に伸びるという便利性を兼ねるものである。
【００２１】
また、二つの縦方向延伸リング２０は、それぞれ強化織り糸により折り縫い部位４０が編成されるため、おもりユニット８０がその重さにより遮蔽部５０を下へ平坦に引っ張る場合、強化織り糸のねじれ性に優れるという特性ないし、折り縫い部位４０に湾曲が発生するとういう効果により、基布１０と遮蔽部５０が平坦に整うように維持される。
【００２２】
実際に、本実施例の要点は、基布１０と縦方向延伸リング２０の連結関係及び支持ユニット７０を入れて一つのスラットＡを形成し、本発明の効果を達成することにある。上述の実施例における折り縫い部位４０、遮蔽部５０、おもりポケット６０、支持ユニット７０及びおもりユニット８０は、ブラインドに適用される好ましい実施例である。図７に示すのは、本実施例がブラインドに適用される場合のスラットの基本の組立構造であり、図８に示すように、複数セットのスラットＡは二つずつ近隣するスラットＡの間に折り縫い部位４０が形成され、折り縫い部位４０により各スラットＡの間が相互に湾曲し、収納または展開という効果を達成する。
【図面の簡単な説明】
【００２３】
【図１】本発明の一実施例によるカーテンの布製スラットを示す分解斜視図である。
【図２】本発明の一実施例によるカーテンの布製スラットの縦方向延伸リング間の連結関係を示す模式図である。
【図３】本発明の一実施例によるカーテンの布製スラットの縦方向延伸リング間の連結関係を示す模式図である。
【図４】本発明の一実施例によるカーテンの布製スラットの支持ポケットと支持ポケット間の連結構造を示す模式図である。
【図５】本発明の一実施例によるカーテンの布製スラットの使用状態を示す斜視図である。
【図６】本発明の一実施例によるカーテンの布製スラットの遮光効果を示す模式図である。
【図７】本発明のもう一つの実施例によるカーテンの布製スラットの使用状態を示す斜視図である。
【図８】本発明のもう一つの実施例によるカーテンの布製スラットを示す斜視図である。
【符号の説明】
【００２４】
１０  基布、２０  縦方向延伸リング、２１  織り糸、３０  支持ポケット、４０  折り縫い部位、５０  遮蔽部、６０  おもりポケット、７０  支持ユニット、８０  おもりユニット、１００  カーテンの布製スラット、１１１  端縁織り糸、２１１  奇数序列部、２１２  偶数序列部
【図１】
2005207199.tif 000003
【図２】
2005207199.tif 000004
【図３】
2005207199.tif 000005
【図４】
2005207199.tif 000006
【図５】
2005207199.tif 000007
【図６】
2005207199.tif 000008
【図７】
2005207199.tif 000009
【図８】
2005207199.tif 000010